(57)【要約】【課題】CMYK以外の特色のみで色再現する画像データを印刷する際の特色インキの使用量を削減し、印刷コストを抑制することを課題とする。【解決手段】CMYK以外の複数の特色により色再現する第１画像データを、前記複数の特色における一部の特色とKにより色再現する第２画像データに変換するためのLUTを作成する。第１画像データに基づいて前記複数の特色により色再現される色を、前記複数の特色の一部とKにより色再現することが可能であるか否かを判定し、色再現可能である場合には、前記複数の特色により印刷されたカラーチャートの測色値と、前記複数の特色の一部とKにより印刷されたカラーチャートの測色値とに基づいてLUTを作成する。【選択図】図３
2014017638.tif 000002
【特許請求の範囲】
【請求項１】
C（Cyan）、M（Magenta）、Y（Yellow）、K（Key Plate）以外の複数の特色により色再現する第１画像データを、前記複数の特色における一部の特色とKにより色再現する第２画像データに変換するためのLUT（Look Up Table）を作成するLUT作成装置であって、
前記第１画像データで色再現される色再現範囲の少なくとも限界範囲を示す色が印刷された印刷物の測色値を取得する第１取得手段と、
前記複数の特色における一部の特色にそれぞれ対応する特色インキとKインキで印刷されたカラーチャートの測色値を取得する第２取得手段と、
前記複数の特色にそれぞれ対応する複数の特色インキで印刷されたカラーチャートの測色値を取得する第３取得手段と、
前記第２取得手段により取得された測色値により示される色再現範囲の中に、前記第１取得手段により取得された測色値により示される色再現範囲が含まれる場合に、前記第２取得手段により取得された測色値と、前記第３取得手段により取得された測色値に基づいて前記LUTを作成する作成手段と、
を備えることを特徴するLUT作成装置。
【請求項２】
請求項１に記載のLUT作成装置であって、
前記第２取得手段は、前記複数の特色におけるKに最も近似する特色以外の一部の特色にそれぞれ対応する特色インキとKインキで印刷されたカラーチャートの測色値を取得する、
ことを特徴とするLUT作成装置。
【請求項３】
請求項１又は２に記載のLUT作成装置であって、
前記測色値がL*a*b*値であることを特徴とするLUT作成装置。
【請求項４】
請求項１乃至３の何れか一項に記載のLUT作成装置で作成されたLUTに基づいて、前記第１画像データを前記第２画像データに変換する変換手段を備えることを画像データ変換装置。
【請求項５】
C（Cyan）、M（Magenta）、Y（Yellow）、K（Key Plate）以外の複数の特色により色再現する第１画像データを、前記複数の特色における一部の特色とKにより色再現する第２画像データに変換するためのLUT（Look Up Table）を作成するLUT作成装置におけるLUT作成方法であって、
前記第１画像データで色再現される色再現範囲の少なくとも限界範囲を示す色が印刷された印刷物の測色値を取得する第１取得工程と、
前記複数の特色における一部の特色にそれぞれ対応する特色インキとKインキで印刷されたカラーチャートの測色値を取得する第２取得工程と、
前記複数の特色にそれぞれ対応する複数の特色インキで印刷されたカラーチャートの測色値を取得する第３取得工程と、
前記第２取得工程により取得された測色値により示される色再現範囲の中に、前記第１取得工程により取得された測色値により示される色再現範囲が含まれる場合に、前記第２取得工程により取得された測色値と、前記第３取得工程により取得された測色値に基づいて前記LUTを作成する作成工程と、
を含むことを特徴するLUT作成方法。
【請求項６】
C（Cyan）、M（Magenta）、Y（Yellow）、K（Key Plate）以外の複数の特色により色再現する第１画像データを、前記複数の特色における一部の特色とKにより色再現する第２画像データに変換するためのLUT（Look Up Table）を作成するLUT作成装置に含まれるコンピュータを、
前記第１画像データで色再現される色再現範囲の少なくとも限界範囲を示す色が印刷された印刷物の測色値を取得する第１取得手段、
前記複数の特色における一部の特色にそれぞれ対応する特色インキとKインキで印刷されたカラーチャートの測色値を取得する第２取得手段、
前記複数の特色にそれぞれ対応する複数の特色インキで印刷されたカラーチャートの測色値を取得する第３取得手段、
前記第２取得手段により取得された測色値により示される色再現範囲の中に、前記第１取得手段により取得された測色値により示される色再現範囲が含まれる場合に、前記第２取得手段により取得された測色値と、前記第３取得手段により取得された測色値に基づいて前記LUTを作成する作成手段、
として機能させることを特徴するLUT作成プログラム。
【発明の詳細な説明】
【技術分野】
【０００１】
本発明は、カラー印刷におけるアクロマチック製版の技術分野に関する。
【背景技術】
【０００２】
従来、カラー印刷分野では一般的に有彩色であるC（Cyan）、M（Magenta）、Y（Yellow）と、無彩色であるK（Key Plate）の４色のインキを用いて色を表現している。CMYKはプロセスカラーと呼ばれ、カラー印刷の基本色となっている。一方で、近年、CMYの３色の有彩色で表現される色の中の一部を、Kで置き換えるアクロマチック製版（Achromatic Printing）と呼ばれる技法が確立している。アクロマチック製版によれば、インキの全体的な使用量を減少させることができるため、インキに掛かるコストを削減することができるとともに、インキを乾燥させる際のコストを削減することができる。また、グレーの安定性が向上し、紙面へのインキののりも良好になるという効果が期待できる。
【０００３】
また、プロセスカラーでは表現できないような鮮やかな色を表現する場合などには、特別に生成されたプロセスカラーとは異なる色の特色インキを用いて印刷が行われており、特色インキを用いたカラー印刷に係る技術も多く開示されている。例えば、特許文献１には、特色或いは更に墨Kを含む入力信号（例えば、YMCKO（Orange)G（Green））から、特色或いは更に墨Kを含む出力信号（例えば、YMCKR（Red)G）に変換する色変換処理であって、入力における特色量（O、Gの量）、墨量（Kの量）と、出力における特色量（R、Gの量）、墨量（Kの量）とを一致させる技術が開示されている。このように、アクロマチック印刷の分野においては、CMYK或いはCMYKOG等で色再現する色データについて、CMYの一部を墨Kに置換した色データに変換する技術が多数開示されている。
【０００４】
一方で、一部のカラー印刷分野では、CMYKを使用せずに、特色インキのみを使って印刷する場合がある。例えば、木目調を表現するカラー印刷では、複数のこげ茶系の特色インキを用いて印刷を行う場合がある。
【先行技術文献】
【特許文献】
【０００５】
【特許文献１】特許第４２３８９９２号公報
【発明の概要】
【発明が解決しようとする課題】
【０００６】
しかしながら、特許文献１に記載の技術などの従来の技術は、CMYKを使用せずに特色インキのみを使う印刷に関する技術ではないため、特色インキのみにより色再現する画像データを使って印刷する場合にCMYKのインキより高価とされる特色インキの使用量を減らすことができず、印刷コストを抑制することが困難であった。
【０００７】
本発明は、このような問題等に鑑みて為されたもので、CMYK以外の特色のみにより色再現する画像データを印刷する際の特色インキの使用量を削減し、印刷コストを抑制することを課題とする。
【課題を解決するための手段】
【０００８】
上記課題を解決するために、請求項１に記載の発明は、C（Cyan）、M（Magenta）、Y（Yellow）、K（Key Plate）以外の複数の特色により色再現する第１画像データを、前記複数の特色における一部の特色とKにより色再現する第２画像データに変換するためのLUT（Look Up Table）を作成するLUT作成装置であって、前記第１画像データで色再現される色再現範囲の少なくとも限界範囲を示す色が印刷された印刷物の測色値を取得する第１取得手段と、前記複数の特色における一部の特色にそれぞれ対応する特色インキとKインキで印刷されたカラーチャートの測色値を取得する第２取得手段と、前記複数の特色にそれぞれ対応する複数の特色インキで印刷されたカラーチャートの測色値を取得する第３取得手段と、前記第２取得手段により取得された測色値により示される色再現範囲の中に、前記第１取得手段により取得された測色値により示される色再現範囲が含まれる場合に、前記第２取得手段により取得された測色値と、前記第３取得手段により取得された測色値に基づいて前記LUTを作成する作成手段と、を備えることを特徴する。
【０００９】
また、本発明は、請求項１に記載のLUT作成装置であって、前記第２取得手段は、前記複数の特色におけるKに最も近似する特色以外の一部の特色にそれぞれ対応する特色インキとKインキで印刷されたカラーチャートの測色値を取得することを特徴とする。
【００１０】
さらに、本発明は、請求項１又は２に記載のLUT作成装置であって、前記測色値がL*a*b*値であることを特徴とする。
【００１１】
さらにまた、本発明は、請求項１乃至３の何れか一項に記載のLUT作成装置で作成されたLUTに基づいて、前記第１画像データを前記第２画像データに変換する変換手段を備えることを画像データ変換装置である。
【００１２】
さらにまた、本発明は、C（Cyan）、M（Magenta）、Y（Yellow）、K（Key Plate）以外の複数の特色により色再現する第１画像データを、前記複数の特色における一部の特色とKにより色再現する第２画像データに変換するためのLUT（Look Up Table）を作成するLUT作成装置におけるLUT作成方法であって、前記第１画像データで色再現される色再現範囲の少なくとも限界範囲を示す色が印刷された印刷物の測色値を取得する第１取得工程と、前記複数の特色における一部の特色にそれぞれ対応する特色インキとKインキで印刷されたカラーチャートの測色値を取得する第２取得工程と、前記複数の特色にそれぞれ対応する複数の特色インキで印刷されたカラーチャートの測色値を取得する第３取得工程と、前記第２取得工程により取得された測色値により示される色再現範囲の中に、前記第１取得工程により取得された測色値により示される色再現範囲が含まれる場合に、前記第２取得工程により取得された測色値と、前記第３取得工程により取得された測色値に基づいて前記LUTを作成する作成工程と、を含むことを特徴する。
【００１３】
さらにまた、本発明は、C（Cyan）、M（Magenta）、Y（Yellow）、K（Key Plate）以外の複数の特色により色再現する第１画像データを、前記複数の特色における一部の特色とKにより色再現する第２画像データに変換するためのLUT（Look Up Table）を作成するLUT作成装置に含まれるコンピュータを、前記第１画像データで色再現される色再現範囲の少なくとも限界範囲を示す色が印刷された印刷物の測色値を取得する第１取得手段、前記複数の特色における一部の特色にそれぞれ対応する特色インキとKインキで印刷されたカラーチャートの測色値を取得する第２取得手段、前記複数の特色にそれぞれ対応する複数の特色インキで印刷されたカラーチャートの測色値を取得する第３取得手段、前記第２取得手段により取得された測色値により示される色再現範囲の中に、前記第１取得手段により取得された測色値により示される色再現範囲が含まれる場合に、前記第２取得手段により取得された測色値と、前記第３取得手段により取得された測色値に基づいて前記LUTを作成する作成手段、として機能させることを特徴するLUT作成プログラムである。
【発明の効果】
【００１４】
本発明によれば、CMYK以外の特色のみで色再現する第１画像データを、当該複数の特色における一部の特色とKにより色再現する第２画像データに変換するためのLUTが作成されることから、当該LUTを用いて第１画像データを第２画像データに変換してから画像を印刷することにより、特色インキの使用量を削減し、印刷コストを抑制することができる。
【図面の簡単な説明】
【００１５】
【図１】色データ変換装置１の機能を説明するための概念図である。
【図２】色データ変換装置１の構成を示すブロック図である。
【図３】色データ変換装置１の制御部１１によるLUT（Look Up Table）作成処理の一例を示すフローチャートである。
【図４】色データ変換装置１の制御部１１による色データ変換処理の一例を示すフローチャートである。
【図５】色データ変換装置１による色データ変換処理が行われる前後のインキ使用量の一例を示す図である。
【発明を実施するための形態】
【００１６】
以下、図面を参照して本発明の実施形態について説明する。本実施形態は本願発明を色データ変換装置１に適用した実施形態である。
【００１７】
図１に示すように、本実施形態の色データ変換装置１（「LUT作成装置」、「画像データ変換装置」の一例。）は、３色の特色（特色Ａ、特色Ｂ、特色Ｃ）により色を再現する変換前画像データＢＤ（「第１画像データ」の一例。）を、２色の特色（特色Ａ、特色Ｂ）と墨Kにより色を再現する変換後画像データＡＤ（「第２画像データ」の一例。）に変換するためのLUTを作成する。また、色データ変換装置１は、作成したLUTを用いて、変換前画像データＢＤを変換後画像データＡＤに変換する。変換前画像データＢＤは、各ピクセルについて特色３色の濃度の組合せにより色を再現するようになっており、一方、変換後画像データＡＤは、特色２色と墨Kの濃度の組合せにより色を再現するようになっている。色データ変換装置１は、変換前画像データＢＤに基づいて印刷された印刷物と、変換後画像データＡＤに基づいて印刷された印刷物の見た目が変わらないようなLUTを作成する。
【００１８】
次に、色データ変換装置１の構成について説明する。図２に示すように、色データ変換装置１は、制御部１１、記憶部１２、インターフェース部１３、表示部１４、及び操作部１５を備えている。
【００１９】
記憶部１２は、例えば、ＨＤＤ（Hard disk drive）等により構成されており、オペレーティングシステムや、アプリケーションプログラム等の各種プログラムを記憶する。特に、本実施形態の記憶部１２には、LUT作成処理や色データ変換処理などの各種処理を実行するアプリケーションプログラムが記憶されている。なお、各種プログラムは、例えば、他のサーバ装置等からネットワークを介して取得されるようにしても良いし、記録媒体にコンピュータ読み取り可能に記録されて外付けドライブ装置を介して読み込まれるようにしても良い。
【００２０】
インターフェース部１３は他の装置や機器との間で送受信されるデータの窓口の役割を果たす。例えば、インターフェース部１３は、図示しない測色器から得られた測色値データを受信する際のデータ変換等を行う。測色器は、印刷機で印刷されたカラーチャートを測色し、L*a*b*値（「測色値」の一例。）を取得する計測機器である。
【００２１】
表示部１４は、例えば、液晶ディスプレイ等により構成されており、オペレータが色データ変換装置１を操作する際の操作画面等を表示する。また、操作部１５は、例えば、キーボードやマウス等により構成されており、オペレータの操作を受け付け、操作内容を示す操作信号を制御部１１に送信する。
【００２２】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成されており、操作部１５から受信した操作信号に基づいて、オペレータの操作内容に応じた処理を行う。なお、制御部１１は、LUT作成処理や色データ変換処理を実行するアプリケーションプログラムを読み込み実行することにより、本発明の第１取得手段、第２取得手段、第３取得手段、作成手段及び変換手段として機能する。
【００２３】
次に、図３を用いて、制御部１１によるLUT作成処理について説明する。なお、図３に示す処理が開始される前までに、次の(i)〜(iii)のL*a*b*値を記憶部１２に記憶させておくこととする。
(i)のL*a*b*値：変換前画像データＢＤに基づいて３色（特色Ａ、特色Ｂ、特色Ｃ）の特色インキで印刷した目的印刷物のL*a*b*値
(ii)のL*a*b*値：３色（特色Ａ、特色Ｂ、特色Ｃ）の特色から最も墨Kに近似する特色Ｃ（本実施形態では特色Ｃが最も墨Kに近似していることとする。）を除いた２色の特色インキと墨Kインキの３色のインキで印刷されたカラーチャートのL*a*b*値
(iii)のL*a*b*値：３色（特色Ａ、特色Ｂ、特色Ｃ）の特色インキで印刷されたカラーチャートのL*a*b*値
なお、(ii)における最も墨Kに近似する特色の特定については、人間が視覚に基づいて行うこととしてもよいし、L*a*b*値に基づいてコンピュータが行うこととしてもよい。また、(i)〜(iii)で印刷される印刷物、カラーチャートは同じ条件で印刷されたものとする。さらに、(i)〜(iii)のL*a*b*値はそれぞれの印刷物又はカラーチャートを測色器で測色することにより得られるL*a*b*値とする。さらにまた、(ii)、(iii)のカラーチャートは、例えば、各色の網点濃度を５段階（0%,25%,50%,75%,100%）に変化させた場合の組合せ分（５段階であれば、5^3=125個）のパッチを含んで構成されているものとする。
【００２４】
まず、制御部１１は、記憶部１２に記憶されている３色（特色Ａ、特色Ｂ、特色Ｃ）の特色インキで印刷された目的印刷物のL*a*b*値（(i)のL*a*b*値）を取得する（ステップＳ１）。次いで、制御部１１は、記憶部１２に記憶されている２色の特色インキと墨Kインキで印刷されたカラーチャートのL*a*b*値（(ii)のL*a*b*値）を取得する（ステップＳ２）。
【００２５】
次いで、制御部１１は、３色（特色Ａ、特色Ｂ、特色Ｃ）の特色インキで印刷された目的印刷物を、２色の特色インキと墨Kインキで色再現可能であるか否かを判定する（ステップＳ３）。具体的には、制御部１１は、３色（特色Ａ、特色Ｂ、特色Ｃ）の特色インキで印刷された目的印刷物のL*a*b*値（(i)のL*a*b*値）で示される色再現範囲が、２色の特色インキと墨Kインキで印刷されたカラーチャートのL*a*b*値（(ii)のL*a*b*値）で示される色再現範囲に含まれていれば、色再現可能であると判定する。より具体的には、制御部１１は、それぞれのL*a*b*値におけるa*b*値を参照して一方の色再現範囲が他方の色再現範囲に含まれるか否かを判定する。
【００２６】
制御部１１は、ステップＳ３の処理において、色再現可能でないと判定した場合には（ステップＳ３：ＮＯ）、LUTを作成することができないことを示すエラーメッセージを表示部１４に表示させ（ステップＳ６）、LUT作成処理を終了する。一方、制御部１１は、色再現可能であると判定した場合には（ステップＳ３：ＹＥＳ）、３色（特色Ａ、特色Ｂ、特色Ｃ）の特色インキで印刷されたカラーチャートのL*a*b*値（(iii)のL*a*b*値）を取得する（ステップＳ４）。次いで、制御部１１は、ステップＳ２の処理で取得したL*a*b*値と、ステップＳ４の処理で取得したL*a*b*値に基づいて、LUTを作成し（ステップＳ５）、LUT作成処理を終了する。
【００２７】
次に、図４を用いて、制御部１１による色データ変換処理について説明する。なお、図４に示す処理が開始される前までに、変換前画像データＢＤと、LUT作成処理で作成した変換前画像データＢＤ用のLUTを記憶部１２に記憶させておくこととする。
【００２８】
まず、制御部１１は、記憶部１２が記憶している変換前画像データＢＤを取得する（ステップＳ１１）。次いで、制御部１１は、取得した変換前画像データＢＤを、記憶部１２に記憶されている変換前画像データＢＤ用のLUTを用いて変換し、変換後画像データＡＤを作成する（ステップＳ１２）。次いで、制御部１１は、作成した変換後画像データＡＤを記憶部１２に記憶させ（ステップＳ１３）、色データ変換処理を終了する。
【００２９】
以上説明したように、本実施形態の色データ変換装置１は、CMYK以外の複数の特色により色再現する変換前画像データを、当該複数の特色における一部の特色と墨Kにより色再現する変換後画像データに変換するためのLUTを作成する。具体的には、制御部１１が、３色（特色Ａ、特色Ｂ、特色Ｃ）の特色における一部の特色（特色Ａ、特色Ｂ）にそれぞれ対応する特色インキと墨Kインキで印刷されたカラーチャートのL*a*b*値（(ii)のL*a*b*値）と、３色の特色インキで印刷した目的印刷物のL*a*b*値（(i)のL*a*b*値）を取得し、前者のL*a*b*値により示される色再現範囲の中に後者のL*a*b*値により示される色再現範囲が含まれる場合に、特色インキのみで印刷されたカラーチャートのL*a*b*値（(iii)のL*a*b*値）と、特色インキ及び墨Kインキで印刷されたカラーチャートのL*a*b*値（(ii)のL*a*b*値）に基づいて、LUTを作成する。
【００３０】
本実施形態の色データ変換装置１によれば、図５に示すように、特色Ａインキ、特色Ｂインキ及び特色Ｃインキにより変換前画像データを印刷した場合と比較して、特色Ａインキ、特色Ｂインキ及び墨Kインキにより変換後画像データを印刷した場合の方が、各インキの使用量が少なくなる。特に、特色インキはCMYKのインキより高価であることからコストの削減効果が高くなる。また、光の影響を受けにくい墨Kインキを用いて印刷物が印刷されることから、特色インキのみで印刷された印刷物と比較して、異なる光源環境下で当該印刷物を観察した場合の色相の差が小さくなる。
【００３１】
なお、本発明は、上述した実施形態に限定されるわけではなく、その他種々の変更が可能である。
【００３２】
次に、本実施形態の変形例について説明する。
【００３３】
上記実施形態では、特色３色で色再現する変換前画像データＢＤを、特色２色と墨Kで色再現する変換後画像データＡＤに変換するLUTを作成することとしたが、以下のように、複数の特色により色再現する変換前画像データを、複数の特色における一部の特色と墨(K)により色再現する変換後画像データに変換するためのLUTを作成する構成としてもよい。
【００３４】
例えば、特色５色で色再現する変換前画像データを、特色４色と墨Kで色再現する変換後画像データに変換するLUTを作成することとしてもよい。この場合、制御部１１はステップＳ１の処理で、５色の特色インキで印刷された目的印刷物のL*a*b*値を取得し、ステップＳ２の処理で、４色の特色インキと墨Kインキで印刷されたカラーチャートのL*a*b*値を取得することとする。そして、制御部１１はステップＳ３の処理で、４色の特色インキと墨Kインキで、５色の特色インキで印刷された目的印刷物を色再現可能であるか判定する。このとき制御部１１は色再現可能と判定した場合には、５色の特色インキで印刷されたカラーチャートのL*a*b*値を取得し（ステップＳ４）、LUTを作成する（ステップＳ５）。なお、ステップＳ２では、制御部１１は特色５色のうち墨Kに最も近似する特色を墨Kに置換して印刷されたカラーチャートのL*a*b*値を取得することとする。
【００３５】
また、例えば、特色７色で色再現する変換前画像データを、特色６色と墨Kで色再現する変換後画像データに変換するLUTを作成することとしてもよい。この場合、制御部１１はステップＳ１の処理で、７色の特色インキで印刷された目的印刷物のL*a*b*値を取得し、ステップＳ２の処理で、６色の特色インキと墨Kインキで印刷されたカラーチャートのL*a*b*値を取得することとする。そして、制御部１１はステップＳ３の処理で、６色の特色インキと墨Kインキで、７色の特色インキで印刷された目的印刷物を色再現可能であるか判定する。このとき制御部１１は色再現可能と判定した場合には、７色の特色インキで印刷されたカラーチャートのL*a*b*値を取得し（ステップＳ４）、LUTを作成する（ステップＳ５）。なお、ステップＳ２では、制御部１１は特色７色のうち墨Kに最も近似する特色と２番目に近似する特色を墨Kに置換して印刷されたカラーチャートのL*a*b*値を取得することとする。
【００３６】
なお、上記実施形態では、LUT作成処理のステップＳ３の処理において、変換前画像データＢＤに基づいて３色（特色Ａ、特色Ｂ、特色Ｃ）の特色インキで印刷した目的印刷物のL*a*b*値（(i)のL*a*b*値）と、２色の特色インキと墨Kインキの３色のインキで印刷されたカラーチャートのL*a*b*値（(ii)のL*a*b*値）を比較することにより、変換前画像データＢＤを２色の特色インキと墨Kインキで色再現可能であるか否かを判定しているが、(i)のL*a*b*値の代わりに、変換前画像データＢＤの色再現範囲の少なくとも限界範囲を示す色を印刷した印刷物を測色器で測色することにより得られるL*a*b*値を用いることとしてもよい。すなわち、ステップＳ３の処理では、２色の特色インキと墨Kインキで目的印刷物を色再現できるか否かを判定することができればよいことから、変換前画像データＢＤの色再現範囲の少なくとも限界範囲を示す色が印刷されていれば、色再現範囲の中間に位置する色は印刷されていなくてもよい。
【００３７】
また、上記実施形態では、「測色値」の一例としてL*a*b*値を用いたが、XYZ値を用いることとしてもよい。
【符号の説明】
【００３８】
１  色データ変換装置
１１  制御部
１２  記憶部
１３  インターフェース部
１４  表示部
１５  操作部
ＢＤ  変換前画像データ
ＡＤ  変換後画像データ
【図１】
2014017638.tif 000003
【図２】
2014017638.tif 000004
【図３】
2014017638.tif 000005
【図４】
2014017638.tif 000006
【図５】
2014017638.tif 000007